(57)【要約】【課題】小型のズームコンバータを提供する。【解決手段】スライド筒１２を前方にスライドさせると、鏡胴２内で移動枠７と共に１群の移動レンズ群１０が前方に移動し、前端規制用ピン１３が鏡胴２の前端規制用長孔２０の前端部に当接したところで移動レンズ群１０のそれ以上の前方への移動が規制され、低倍率の状態となる。一方、スライド筒１２を後方にスライドさせると、鏡胴２内で移動枠７と共に１群の移動レンズ群１０が後方へ移動し、後端規制用ピン１４が鏡胴２の後端規制用長孔２１の後端部に当接したところで移動レンズ群１０のそれ以上の後方への移動が規制され、高倍率の状態となる。この変倍に伴って変化するバックフォーカスはカメラのフォーカス機能により補償される。【選択図】図１
2006292995.tif 000002
【特許請求の範囲】
【請求項１】
カメラレンズの前部に取り付けられる鏡胴と、
前記鏡胴内を光軸に沿って移動自在に配設された１群のレンズ群と
を備え、前記１群のレンズ群を光軸に沿って移動させることにより変倍させると共にこの前記１群のレンズ群の移動に伴うバックフォーカスの変化をカメラのフォーカス機能により補償するようにしたことを特徴とするズームコンバータ。
【請求項２】
前記鏡胴内を光軸に沿って移動自在に配設されると共に前記１群のレンズ群を支持する移動枠を備えた請求項１に記載のズームコンバータ。
【請求項３】
前記移動枠の外周部から径方向外方に突出すると共に前記鏡胴に光軸方向に形成された前端規制用長孔を貫通する前端規制用ピンと、
前記移動枠の外周部から径方向外方に突出すると共に前記鏡胴に光軸方向に形成された後端規制用長孔を貫通する後端規制用ピンと
を備え、前端規制用ピンが前端規制用長孔の端部に係合することにより前記移動枠の移動の前端が規制され、後端規制用ピンが後端規制用長孔の端部に係合することにより前記移動枠の移動の後端が規制される請求項２に記載のズームコンバータ。
【請求項４】
前記鏡胴の外周部を光軸に沿って移動自在に配設されたスライド筒を備え、
前記移動枠と前記スライド筒とが前端規制用ピン及び後端規制用ピンを介して互いに連結される請求項３に記載のズームコンバータ。
【発明の詳細な説明】
【技術分野】
【０００１】
この発明は、ズームコンバータに関する。
【背景技術】
【０００２】
従来から多群構成のズームレンズが広く使用されている。例えば、特許文献１に開示されているズームレンズは、被写体側から順に第１レンズ群〜第５レンズ群を備えており、これら第１レンズ群〜第５レンズ群のうち少なくとも４つのレンズ群をそれぞれ光軸方向に移動させることでバックフォーカスを固定したままズーミングによる変倍を可能としている。
【０００３】
【特許文献１】特開平７−３５９８０号公報
【発明の開示】
【発明が解決しようとする課題】
【０００４】
カメラレンズの前部に取り付けて使用されるコンバータは、その使用形態及び携帯性の面から本来小型化が要求されるが、このコンバータに上記の特許文献１に開示されたようなズーム機能を具備させようとすると、多群構成のうちの複数のレンズ群をそれぞれ光軸方向に移動させる構造を形成しなくてはならず、コンバータが大型化せざるを得ないという問題点があった。
【０００５】
また、ズーム機能を有するカメラに固定倍率のコンバータを取り付け、カメラのズーム機能により変倍させることもできるが、この場合にも、カメラのズーム全域において「けられ」のない画像を得るためにコンバータのレンズ外径を大きくする必要があり、コンバータの大型化を余儀なくされていた。
この発明はこのような問題点を解消するためになされたもので、小型のズームコンバータを提供することを目的とする。
【課題を解決するための手段】
【０００６】
この発明に係るズームコンバータは、カメラレンズの前部に取り付けられる鏡胴と、鏡胴内を光軸に沿って移動自在に配設された１群のレンズ群とを備えており、１群のレンズ群を光軸に沿って移動させることにより変倍させると共にこの１群のレンズ群の移動に伴うバックフォーカスの変化をカメラのフォーカス機能により補償するようにしたものである。
１群のレンズ群のみを移動させることで変倍させるようにしたので、小型のズームコンバータが実現される。１群のレンズ群の移動に伴ってバックフォーカスが変化するが、このバックフォーカスの変化はカメラのフォーカス機能により補償される。
【０００７】
なお、鏡胴内を光軸に沿って移動自在に移動枠を配設し、この移動枠に１群のレンズ群を支持させることができる。
また、移動枠の外周部から径方向外方に突出すると共に鏡胴に光軸方向に形成された前端規制用長孔を貫通する前端規制用ピンと、移動枠の外周部から径方向外方に突出すると共に鏡胴に光軸方向に形成された後端規制用長孔を貫通する後端規制用ピンとをさらに備え、前端規制用ピンが前端規制用長孔の端部に係合することにより移動枠の移動の前端を規制し、後端規制用ピンが後端規制用長孔の端部に係合することにより移動枠の移動の後端を規制するように構成してもよい。
さらに、鏡胴の外周部を光軸に沿って移動自在に配設されたスライド筒を備え、移動枠とスライド筒とを前端規制用ピン及び後端規制用ピンを介して互いに連結することもできる。
【発明の効果】
【０００８】
この発明によれば、１群のレンズ群のみを移動させることで変倍させ、この１群のレンズ群の移動に伴うバックフォーカスの変化をカメラのフォーカス機能によって補償するようにしたので、小型のズームコンバータが得られる。
【発明を実施するための最良の形態】
【０００９】
以下、この発明の実施の形態を添付図面に基づいて説明する。
図１にこの発明の実施の形態に係るズームコンバータの構成を示す。このズームコンバータは、カメラ１のレンズの前部に取り付けられる鏡胴２を有している。鏡胴２の内部には、被写体側の前端部に前部レンズ群３が配置されると共にリングナット４によって固定される一方、カメラ１側の後端部に後部レンズ群５が配置されると共にリングナット６によって固定されている。これら前部レンズ群３と後部レンズ群５との間には、鏡胴２内を光軸に沿って移動自在に移動枠７が配置され、この移動枠７に凸レンズ８と凹レンズ９からなる移動レンズ群１０がリングナット１１によって支持されている。
【００１０】
また、鏡胴２の外周部には光軸に沿って移動自在にスライド筒１２が配設され、鏡胴２内の移動枠７と鏡胴２外のスライド筒１２とが前端規制用ピン１３及び後端規制用ピン１４を介して互いに連結されている。これにより、スライド筒１２を鏡胴２の長手方向にスライドさせることで移動枠７と共に移動レンズ群１０を光軸に沿って移動させることができる。スライド筒１２の中央外周部には、ゴム等からなる環状のグリップ部材１２ａが嵌合されている。
【００１１】
図２に示されるように、鏡胴２の前端内周部には、リングナット４を螺合するためのネジ部１５が形成されると共にこのネジ部１５より鏡胴２の後端側に段差１６が形成されており、前部レンズ群３はネジ部１５に螺合されたリングナット４と段差１６との間に挟持される。同様に、鏡胴２の後端内周部には、リングナット６を螺合するためのネジ部１７が形成されると共にこのネジ部１７より鏡胴２の前端側に段差１８が形成されており、後部レンズ群５はネジ部１７に螺合されたリングナット６と段差１８との間に挟持される。
また、鏡胴２の後端外周部には鏡胴２をカメラ１に装着するためのネジ部１９が形成されている。
【００１２】
鏡胴２のほぼ中央部には、それぞれ光軸方向に延びる一つの前端規制用長孔２０と二つの後端規制用長孔２１が互いに周方向に１２０度の間隔で開口形成されている。鏡胴２の展開図を図３に示す。前端規制用長孔２０は後端規制用長孔２１より鏡胴２の後端側に長く形成され、後端規制用長孔２１は前端規制用長孔２０より鏡胴２の前端側に長く形成されている。
【００１３】
また、鏡胴２の外周部には、前端規制用長孔２０及び後端規制用長孔２１を挟むように互いに光軸方向に間隔を隔てて２本の環状の溝２ａ及び２ｂが形成され、これらの溝２ａ及び２ｂに図示しないフエルト製の帯部材が嵌め込まれる。この帯部材により、鏡胴２の外周部に沿ってスライド筒１２を円滑にスライドさせることができると共に鏡胴２とスライド筒１２との間の隙間から内部に異物が侵入することが防止される。
【００１４】
図４に示されるように、移動枠７の前端内周部にはリングナット１１を螺合するためのネジ部２２が形成されると共に、後端内周部には移動レンズ群１０を係合するための段差２３が形成されている。また、図５に示されるように、移動枠７の外周部には、前端規制用ピン１３を螺合するための一つのネジ孔２４と、後端規制用ピン１４を螺合するための二つのネジ孔２５が互いに周方向に１２０度の間隔で形成されている。
【００１５】
移動枠７内に凹レンズ９と図６に示されるようなコーン形状の間座２６と凸レンズ８を順次挿入してネジ部２２にリングナット１１を螺合させる。図１に示されるように、凸レンズ８と凹レンズ９は間座２６の存在により決定される間隔で互いに離間した状態で移動レンズ群１０を形成し、移動枠７の段差２３とリングナット１１との間に挟持される。
【００１６】
図７及び８に示されるように、スライド筒１２は、鏡胴２の外径に対応した内径を有する筒形状に形成されており、前端規制用ピン１３を通すための一つの貫通孔２７とそれぞれ後端規制用ピン１４を通すための二つの貫通孔２８が互いに周方向に１２０度の間隔で開口形成されている。また、スライド筒１２の中央外周部には、グリップ部材１２ａを嵌合するための環状の溝２９が形成されている。
【００１７】
図９に示されるように、前端規制用ピン１３及び後端規制用ピン１４はいずれも、頭部３０と外周部にネジ山が形成された脚部３１とを有するボルト形状を呈しており、図１０に示されるカラー３２に脚部３１が貫通し、頭部３０がカラー３２内に収容された状態で使用される。
【００１８】
移動レンズ群１０が組み込まれた移動枠７を鏡胴２の内部に挿入すると共に鏡胴２の外周部にスライド筒１２を嵌め込み、前端規制用ピン１３に対する移動枠７のネジ孔２４と鏡胴２の前端規制用長孔２０とスライド筒１２の貫通孔２７が互いに重なるように移動枠７と鏡胴２とスライド筒１２とを位置合わせした状態で、スライド筒１２の貫通孔２７からカラー３２を挿入し、鏡胴２の前端規制用長孔２０を通して移動枠７のネジ孔２４に嵌入させる。さらに、前端規制用ピン１３をカラー３２に挿入し、脚部３１を移動枠７のネジ孔２４に螺合させる。これにより、図１に示されるように、移動枠７とスライド筒１２とが前端規制用ピン１３を介して互いに連結される。
【００１９】
このとき、後端規制用ピン１４に対する移動枠７の二つのネジ孔２５と鏡胴２の二つの後端規制用長孔２１とスライド筒１２の二つの貫通孔２８もそれぞれ互いに重なり合った状態となっている。そこで、スライド筒１２の各貫通孔２８からカラー３２を挿入し、鏡胴２の後端規制用長孔２１を通して移動枠７のネジ孔２５に嵌入させ、後端規制用ピン１４をカラー３２に挿入して脚部３１を移動枠７のネジ孔２５に螺合させる。これにより、移動枠７とスライド筒１２とが後端規制用ピン１４をも介して互いに連結されることとなる。
【００２０】
この実施の形態に係るズームコンバータの使用時には、図１に示されるように、鏡胴２の後端外周部に形成されたネジ部１９により鏡胴２をカメラ１のレンズの前部に取り付ける。ここで、グリップ部材１２ａを持ってスライド筒１２を前方にスライドさせると、それに伴って鏡胴２内で移動枠７と共に１群の移動レンズ群１０が前方へ移動する。そして、前端規制用ピン１３がカラー３２を介して鏡胴２の前端規制用長孔２０の前端部に当接したところで移動レンズ群１０のそれ以上の前方への移動が規制される。このとき、図１に示されるように、移動レンズ群１０は移動範囲のうち最も前方に位置し、低倍率の状態となる。なお、この実施の形態においては、２倍に設定されている。
【００２１】
一方、スライド筒１２を後方にスライドさせると、それに伴って鏡胴２内で移動枠７と共に１群の移動レンズ群１０が後方へ移動し、図１１に示されるように、後端規制用ピン１４がカラー３２を介して鏡胴２の後端規制用長孔２１の後端部に当接したところで移動レンズ群１０のそれ以上の後方への移動が規制される。このとき、移動レンズ群１０は移動範囲のうち最も後方に位置し、高倍率の状態となる。なお、この実施の形態においては、３倍に設定されている。
【００２２】
このように、移動レンズ群１０の移動により２倍から３倍まで変倍させることができるが、１群の移動レンズ群１０のみを移動させているため、変倍に伴ってバックフォーカスが変化してしまう。しかしながら、カメラのフォーカス機能でこのバックフォーカスの変化を補償することにより、ピントを合わせることができる。
このズームコンバータは、２倍から３倍まで連続的に変倍させることが可能となるため、固定焦点カメラに対して、２倍から３倍の固定倍率のコンバータを数本用意した以上の効果を１本で得ることができる。また、ズームカメラに対しても、２倍から３倍の固定倍率のテレエンドコンバータを数本用意した以上の効果を１本で得ることができる。
【００２３】
なお、上記の実施の形態では、それぞれ鏡胴２に固定された前部レンズ群３と後部レンズ群５との間に移動レンズ群１０を配したが、これに限るものではなく、この発明は１群のレンズ群のみを光軸に沿って移動させることにより変倍させるズームコンバータに広く適用される。
また、上記の実施の形態では、一つの前端規制用ピン１３と二つの後端規制用ピン１４を使用したが、これらピンの個数は適宜選択することができる。
さらに、２倍から３倍までのズームコンバータについて述べたが、これらの倍率に限定されるものではない。
【図面の簡単な説明】
【００２４】
【図１】この発明の実施の形態に係るズームコンバータの低倍率状態を示す一部破断側面図である。
【図２】実施の形態で用いられた鏡筒を示す一部破断側面図である。
【図３】実施の形態で用いられた鏡筒を示す展開図である。
【図４】実施の形態で用いられた移動枠を示す一部破断側面図である。
【図５】図４のＡ−Ａ線断面図である。
【図６】実施の形態で用いられた間座を示す一部破断側面図である。
【図７】実施の形態で用いられたスライド筒を示す一部破断側面図である。
【図８】図７のＢ−Ｂ線断面図である。
【図９】実施の形態で用いられた前端規制用ピン及び後端規制用ピンを示す一部破断側面図である。
【図１０】実施の形態で用いられたカラーを示す一部破断側面図である。
【図１１】実施の形態に係るズームコンバータの高倍率状態を示す一部破断側面図である。
【符号の説明】
【００２５】
１  カメラ、２  鏡胴、３  前部レンズ群、４，６，１１  リングナット、５  後部レンズ群、７  移動枠、８  凸レンズ、９  凹レンズ、１０  移動レンズ群、１２  スライド筒、１２ａ  グリップ部材、１３  前端規制用ピン、１４  後端規制用ピン、１５  ネジ部、２０  前端規制用長孔、２１  後端規制用長孔、２４，２５  ネジ孔、２６  間座、２７，２８  貫通孔、２９  溝、３０  頭部、３１  脚部、３２  カラー。
【図１】
2006292995.tif 000003
【図２】
2006292995.tif 000004
【図３】
2006292995.tif 000005
【図４】
2006292995.tif 000006
【図５】
2006292995.tif 000007
【図６】
2006292995.tif 000008
【図７】
2006292995.tif 000009
【図８】
2006292995.tif 000010
【図９】
2006292995.tif 000011
【図１０】
2006292995.tif 000012
【図１１】
2006292995.tif 000013